(57)【特許請求の範囲】
【請求項１】
入力される画像データを所定の形式で記憶媒体に書き込む録画手段と、
記憶媒体に記憶された画像データを読み出して、ディスプレイに画像を表示させる画像信号として出力する再生手段と、
前記記憶媒体に書き込まれた各画像データのうちの任意の画像データを選択させ、選択された画像データに対応する標題の入力、もしくは、選択された画像データを消去するか否かの選択を行わせる編集手段と、
前記編集手段により画像データの選択と、選択された画像データへの標題の入力もしくは選択された画像データを消去するか否かの選択を行う際に、ディスプレイに表示される編集画面のデータを生成する編集画面生成手段と、
前記編集手段から入力された標題のデータを対応する画像データと関連づけて前記画像データが記憶された前記記憶媒体に書き込む標題書込手段と、
前記編集手段により消去することが選択された画像データを前記記憶媒体から消去する消去手段とを備えた録画再生装置において、
前記再生手段は、前記編集手段により画像データが選択された際に、選択された画像データを前記記憶媒体から読み出すとともに、前記記憶媒体から読み出された画像データの画像と前記編集画面生成手段が生成した編集画面のデータに基づく編集画面とを同時にディスプレイに表示させる画像信号を出力し、且つ、前記編集手段による前記標題の入力が開始されると、再生中の画像を一時停止させる一方で、前記編集手段により消去すべき画像データが選択されると、再生中の画像を黒表示とすることを特徴とする録画再生装置。
【請求項２】
入力される画像データを所定の形式で記憶媒体に書き込む録画手段と、
記憶媒体に記憶された画像データを読み出して、ディスプレイに画像を表示させる画像信号として出力する再生手段と、
前記記憶媒体に書き込まれた各画像データの標題を入力させる編集手段と、
前記編集手段により標題が入力される際にディスプレイに表示される編集画面のデータを生成する編集画面生成手段と、
前記編集手段から入力された標題のデータを対応する画像データと関連づけて前記画像データが記憶された前記記憶媒体に書き込む標題書込手段とを備えた録画再生装置において、
前記再生手段は、前記編集手段により標題が入力される際に、標題を入力すべき画像データを前記記憶媒体から読み出すとともに、前記記憶媒体から読み出された画像データの画像と前記編集画面生成手段が生成した編集画面のデータに基づく編集画面とを同時にディスプレイに表示させる画像信号を出力し、且つ、前記編集手段による前記標題の入力が開始されると、再生中の画像を一時停止させることを特徴とする録画再生装置。
【請求項３】
前記編集手段は、前記記憶媒体に書き込まれた各画像データのうちの消去すべき画像データを選択させ、
前記編集画面生成手段は、前記編集手段により消去すべき画像データが選択される際にディスプレイに表示される編集画面のデータを生成し、
前記編集手段により選択された画像データを前記記憶媒体から消去する消去手段を備え、
前記再生手段は、前記編集手段により消去すべき画像データが選択された際に、消去すべき画像データを前記記憶媒体から読み出すとともに、前記記憶媒体から読み出された画像データの画像と前記編集画面生成手段が生成した編集画面のデータに基づく編集画面とを同時にディスプレイに表示させる画像信号を出力することを特徴とする請求項２に記載の録画再生装置。
【請求項４】
入力された画像データを所定の形式で記憶媒体に書き込むとともに、記憶媒体に記憶された画像データを読み出して、ディスプレイに画像を表示させる画像信号として出力する録画再生装置を用いて、記憶媒体に記憶された画像データに対する標題の入力、記憶された画像データの消去等の画像データを記憶する記憶媒体の編集を行う編集方法であって、
ディスプレイに編集画面を表示し、
編集画面に基づいて記憶媒体に記憶された画像データから編集すべき画像データを選択させ、
選択された画像データの画像を前記編集画面と同時にディスプレイに表示し、
編集すべき画像データの内容を確認しながら編集を行わせ、
前記標題の入力が開始されると、前記ディスプレイに表示される再生中の画像を一時停止させることを特徴とする編集方法。
【発明の詳細な説明】
【０００１】
【発明の属する技術分野】
本発明は、録画再生装置及び編集方法に関する。
【０００２】
【従来の技術】
近年、一般の家庭において、録画再生装置として使われているビデオにかわって、例えばＤＶＤ＋ＲＷ、ＤＶＤ＋Ｒ、ＤＶＤ−ＲＷ、ＤＶＤ−Ｒ、ＤＶＤ−ＲＡＭ等（以下、ＤＶＤという。）を記憶媒体として動画や音声などをデジタル記憶可能なＤＶＤビデオレコーダが用いられている。
このＤＶＤビデオレコーダは、ＴＶ番組等の画像をその録画日時やチャンネルや録画時間等の記録データとともにＤＶＤに記憶する。その後、ＤＶＤの再生時等に、ユーザはメニュ画面等で前記記録データ（例えば、テキスト等）を参照することでＤＶＤに記憶されている内容の確認を行うようになっている。
【０００３】
【発明が解決しようとする課題】
ところで、ＤＶＤは、その記憶容量が大容量であり、一枚のＤＶＤの中にＴＶ番組等の画像を複数記憶できるため、前記記録データの参照だけではＤＶＤの記憶内容の確認を行うことが難しくなっている。
そこで、例えば編集メニュを実行して記憶されている画像毎にタイトル名を入力したり、視聴済み等の不必要な画像を消去したりしてＤＶＤの編集作業をすることにより、ＤＶＤの再生時にそのＤＶＤの記憶内容を確認し易いように整理している。
【０００４】
しかしながら、ユーザは、上記編集作業を編集メニュの実行により表示される記録データを参照することにより各記録データに対応する画像を推量しながら行わなければならず、記録データだけでは対応する画像の内容を認識しにくく、タイトル名の入力ミスや不必要な画像の消去ミス等を引き起こす虞があった。
【０００５】
なお、特開昭６２−１７８０８１号公報に開示のように、編集画面での操作ミスを防止するために、データの設定時と設定されたデータの再生時とで区別してデータを表示する記憶再生装置も提案されているが、これだけでは編集画面での操作ミスを完全には防止することが困難である。
【０００６】
本発明の課題は、記憶媒体に記憶されている記憶内容の編集を容易に且つ正確に行うことができる録画再生装置及び編集方法を提供することを目的とする。
【０００７】
【課題を解決するための手段】
上記課題を解決するため、本発明は、入力される画像データを所定の形式で記憶媒体に書き込む録画手段と、
記憶媒体に記憶された画像データを読み出して、ディスプレイに画像を表示させる画像信号として出力する再生手段と、
前記記憶媒体に書き込まれた各画像データのうちの任意の画像データを選択させ、選択された画像データに対応する標題の入力、もしくは、選択された画像データを消去するか否かの選択を行わせる編集手段と、
前記編集手段により画像データの選択と、選択された画像データへの標題の入力もしくは選択された画像データを消去するか否かの選択を行う際に、ディスプレイに表示される編集画面のデータを生成する編集画面生成手段と、
前記編集手段から入力された標題のデータを対応する画像データと関連づけて前記画像データが記憶された前記記憶媒体に書き込む標題書込手段と、
前記編集手段により消去することが選択された画像データを前記記憶媒体から消去する消去手段とを備えた録画再生装置において、
前記再生手段は、前記編集手段により画像データが選択された際に、選択された画像データを前記記憶媒体から読み出すとともに、前記記憶媒体から読み出された画像データの画像と前記編集画面生成手段が生成した編集画面のデータに基づく編集画面とを同時にディスプレイに表示させる画像信号を出力し、且つ、前記編集手段による前記標題の入力が開始されると、再生中の画像を一時停止させる一方で、前記編集手段により消去すべき画像データが選択されると、再生中の画像を黒表示とすることを特徴としている。
【０００８】
本発明の録画再生装置によれば、再生手段は、記憶媒体に書き込まれた各画像データの標題を入力させる編集手段により標題が入力される際に、標題を入力すべき画像データを記憶媒体から読み出すとともに、記憶媒体から読み出された画像データの画像と編集画面生成手段が生成した編集画面のデータに基づく編集画面とを同時にディスプレイに表示させる画像信号を出力するので、編集画面と入力される標題に対応する画像とがディスプレイに同時に表示され、標題が入力される画像を参照しながら標題の入力を行うことができ、さらに、標題の入力が開始されると、再生中の画像を一時停止させて、標題の入力ミスを防止できる。従って、記憶媒体に記憶されている記憶内容の編集を容易に且つ正確に行うことができる。
また、編集手段から入力された標題のデータを対応する画像データと関連づけて画像データが記憶された記憶媒体に書き込む標題書込手段を備えているので、入力された標題のデータは対応する画像データと関連づけて画像データが記憶された記憶媒体に記憶されることになり、前記記憶媒体が別の録画再生装置等で再生された場合でも入力され記憶された標題を参照することで記憶媒体に記憶されている画像を容易に認識することができる。
さらに、記憶媒体に記憶されている記憶内容の編集を、特別な装置等を必要とせずに無駄なコストをかけずに行うことができる。
【０００９】
また、再生手段は、記憶媒体に書き込まれた各画像データのうちの消去すべき画像データを選択させる編集手段により消去すべき画像データが選択された際に、消去すべき画像データを記憶媒体から読み出すとともに、記憶媒体から読み出された画像データの画像と編集画面生成手段が生成した編集画面のデータに基づく編集画面とを同時にディスプレイに表示させる画像信号を出力するので、編集画面と消去すべき画像データに対応する画像とがディスプレイに同時に表示され、画像データの消去を消去される画像データの画像を参照しながら行うことができ、さらに、消去すべき画像データが選択されると、再生中の画像を黒表示として、画像データの消去ミスを防止できる。
【００１０】
また、本発明の編集方法は、入力された画像データを所定の形式で記憶媒体に書き込むとともに、記憶媒体に記憶された画像データを読み出して、ディスプレイに画像を表示させる画像信号として出力する録画生成装置を用いて、記憶媒体に記憶された画像データに
対する標題の入力、記憶された画像データの消去等の画像データを記憶する記憶媒体の編集を行う編集方法であって、
ディスプレイに編集画面を表示し、
編集画面に基づいて記憶媒体に記憶された画像データから編集すべき画像データを選択させ、
選択された画像データの画像を前記編集画面と同時にディスプレイに表示し、
編集すべき画像データの内容を確認しながら編集を行わせ、
前記標題の入力が開始されると、前記ディスプレイに表示される再生中の画像を一時停止させることを特徴としている。
【００１１】
本発明の編集方法によれば、ディスプレイに編集画面を表示し、編集画面に基づいて記憶媒体に記憶された画像データから編集すべき画像データを選択させ、選択された画像データの画像を編集画面と同時にディスプレイに表示するので、編集すべき画像データの内容を確認しながら記憶媒体に記憶されている画像データの編集を行うことができ、さらに、標題の入力が開始されると、ディスプレイに表示される再生中の画像を一時停止させて、画像データの編集画面での操作ミスを防止できる。従って、記憶媒体に記憶されている記憶内容の編集を容易に且つ正確に行うことができる。
【００１２】
【発明の実施の形態】
以下、図面を参照して、本発明の実施の形態について詳細に説明する。
本実施の形態は、本発明に係る録画再生装置の適例としてのＤＶＤ（Digital Versatile Disc）ビデオレコーダについて説明を行うものである。
【００１３】
本発明のＤＶＤビデオレコーダは、例えばＴＶ番組等の画像に基づいてＤＶＤビデオ規格（所定の形式）の画像データを生成して例えばＤＶＤ＋ＲＷ（Digital Versatile Disc Re-writable）等の光ディスク（記憶媒体）に書き込むとともに、光ディスクに記憶されているＤＶＤビデオ規格の画像データを読み出して、表示部（ディスプレイ）に画像を表示するものである。
【００１４】
先ず、ＤＶＤビデオレコーダ１００の全体構成について、図１を参照して説明する。図１は、ＤＶＤビデオレコーダ１００の全体構成の概略を示すブロック図である。
このＤＶＤビデオレコーダ１００は、例えば図１に示すように、画像及び音声のデータ処理部１と、主制御部２と、フラッシュメモリ３と、ＥＥＰＲＯＭ４と、副制御部５と、操作キー６と、受光部７と、表示部８とを備えている。
【００１５】
データ処理部１は、チューナ１１と、セレクタ１２と、ＡＤコンバータ１３
と、ＡＤコンバータ／Ｙ／Ｃ分離回路１４と、ＡＶエンコーダ１５と、ＳＤＲＡＭ１５１，１５１と、ＮＴＳＣ／ＰＡＬビデオエンコーダ１６と、ＤＡコンバータ１７と、ＤＩＴ１８と、ＡＶデコーダ１９と、ＳＤＲＡＭ１９１と、ＡＴＡＰＩコントローラ２０と、ＳＤＲＡＭ２０１と、フロントエンドブロック２１とを備えている。
【００１６】
このうち、チューナ１１は、アンテナが受信した信号の中から好ましい信号を選択し、選択した各種信号をセレクタ１２に出力する。従って、このチューナ１１を介してＤＶＤビデオレコーダ１００にＴＶ番組等の画像に基づく信号が入力される。
セレクタ１２は、チューナ１１から出力され入力された信号やオーディオ及びビデオ入力端子を介して入力された信号をＡＤコンバータ１３もしくはＡＤコンバータ／Ｙ／Ｃ分離回路１４に出力する。
【００１７】
ＡＤコンバータ（Analog to Digital Converter；以下、ＡＤＣという。）１３は、セレクタ１２から出力されたアナログオーディオ信号をデジタルオーディオ信号に変換し、ＡＶエンコーダ１５に出力する。
ＡＤコンバータ／Ｙ／Ｃ分離回路１４は、セレクタ１２から出力されたアナログオーディオ信号をデジタルオーディオ信号に変換するとともに、セレクタ１２から出力された輝度（Ｙ）信号と色（Ｃ）信号とに分離し、各種信号をＡＶエンコーダ１５に出力する。
なお、ＡＤコンバータ／Ｙ／Ｃ分離回路１４とＡＶエンコーダ１５との間には例えばスイッチＳＷ１が設けられている。このスイッチＳＷ１は、ＡＤコンバータ／Ｙ／Ｃ分離回路１４から出力される信号のＡＶエンコーダ１５への入力とＡＶデコーダ１９から出力されるＲＧＢビデオ信号のＡＶエンコーダ１５への入力をスイッチングする。
【００１８】
ＡＶエンコーダ１５は、ＡＤＣ１３を介して入力されたデジタルオーディオ信号や、ＡＤコンバータ／Ｙ／Ｃ分離回路１４を介して入力された各種信号に対してエンコード処理を行い、ＤＶＤビデオ規格の画像データや音声データを生成する。さらに、ＡＶエンコーダ１５は、生成された画像データ及び音声データをＡＴＡＰＩコントローラ２０に出力する。
また、ＡＶエンコーダ１５は、主制御部２の制御に基づき、タイトル名（標題）等のオンスクリーン表示（On Screen Display；以下、ＯＳＤという。）の記憶指示（後述）を受信すると、ＡＶデコーダ１９を介して入力されたＯＳＤに対応するＲＧＢビデオ信号に対してエンコード処理を行い、画像データを生成して、生成されたＯＳＤに関する画像データをＡＴＡＰＩコントローラ２０に出力する。
なお、ＳＤＲＡＭ（Synchronous Dynamic Random Access Memory）１５１，１５１は、ＡＶエンコーダ１５が各種エンコード処理を行う際に使用される作業用メモリである。
【００１９】
ＡＴＡＰＩ（AT Attachment Pachet Interface）コントローラ２０は、主制御部２の制御に基いて、光ディスクＤ１にデータを記憶する場合に、光ディスクＤ１に各種データを書き込むように指示する指令をフロントエンドブロック２１に出力するとともに、フロントエンドブロック２１にＡＶエンコーダ１５から出力された各種データを転送する。なお、画像を光ディスクＤ１に記憶する場合、転送されるデータには画像毎にその録画日時やチャンネルや録画時間等の記録データが含まれている。
また、ＡＴＡＰＩコントローラ２０は、主制御部２の制御に基づいて、光ディスクＤ１からデータを再生する場合に、光ディスクＤ１に記憶されているＤＶＤビデオ規格の画像データ及び音声データを読み出すように指示する指令（信号）をフロントエンドブロック２１に出力するとともに、フロントエンドブロック２１のディスクドライブ（後述）２１１によって光ディスクＤ１から読み出された各種データをＡＶデコーダ１９に転送する。
ＳＤＲＡＭ２０１は、ＡＴＡＰＩコントローラ２０が光ディスクＤ１にデータを書き込む場合や光ディスクＤ１からデータを読み出す場合に使用される作業用メモリである。
【００２０】
フロントエンドブロック２１は、光ディスクＤ１を回転させるディス回転部２１１ａと光ディスクＤ１の回転中にＤＶＤビデオ規格の画像データを読み書きするヘッド部２１１ｂとを有するディスクドライブ（録画手段）２１１を備えている。
また、ディスクドライブ２１１は、例えば後述するタイトル名入力処理において、入力されたタイトル名のデータを対応する画像データと関連付けて画像データが記憶された光ディスクＤ１に書き込む標題書込手段を構成している。
さらに、ディスクドライブ２１１は、例えば後述する画像消去処理において、消去することが選択された画像データを光ディスクＤ１から消去する消去手段を構成している。
【００２１】
一方、ＡＶデコーダ１９は、ディスクドライブ２１１によって読み出された光ディスクＤ１に記憶されているＤＶＤビデオ規格の画像データや音声データをＡＴＡＰＩコントローラ２０を介して受信し、それらデータに対してデコード処理を行い、ＲＧＢビデオ信号やデジタルオーディオ信号を生成する。さらに、ＡＶデコーダ１９は、生成されたＲＧＢビデオ信号をＮＴＳＣ／ＰＡＬビデオエンコーダ１６に出力する一方で、デジタルオーディオ信号をＤＡコンバータ１７やＤＩＴ１８に出力する。
また、ＡＶデコーダ１９は、主制御部２の制御に基づき、画像の編集メニュ（図示略）等のＯＳＤの表示指示（後述）を受信すると、フラッシュメモリ３に格納されている画像の編集メニュに係わるフォントデータ又は圧縮データ等のＯＳＤデータに対してデコード処理等を行い、ＯＳＤを表示するためのＲＧＢビデオ信号を生成する。
なお、ＳＤＲＡＭ１９１は、ＡＶデコーダ１９が各種デコード処理を行う際に使用される作業用メモリである。
【００２２】
また、ＡＶデコーダ１９とＮＴＳＣ／ＰＡＬビデオエンコーダ１６との間、ＡＶデコーダ１９とＤＡＣ１７及びＤＩＴ１８との間には、それぞれスイッチＳＷ２＿Ｖ、ＳＷ２＿Ａが設けられている。
このうち、スイッチＳＷ２＿Ｖは、ＡＶデコーダ１９から出力されるＲＧＢビデオ信号のＮＴＳＣ／ＰＡＬビデオエンコーダ１６への入力とＡＤコンバータ／Ｙ／Ｃ分離回路１４から出力されるＲＧＢビデオ信号のＮＴＳＣ／ＰＡＬビデオエンコーダ１６への入力をスイッチングする。また、スイッチＳＷ２＿Ａは、ＡＶデコーダ１９から出力されるデジタルオーディオ信号のＤＡコンバータ１７やＤＩＴ１８への入力とＡＤＣ１３から出力されるデジタルオーディオ信号のＤＡコンバータ１７やＤＩＴ１８への入力をスイッチングする。
【００２３】
ＮＴＳＣ／ＰＡＬビデオエンコーダ１６は、ＡＶデコーダ１９から出力されたＲＧＢビデオ信号をＮＴＳＣ或いはＰＡＬ方式の輝度（Ｙ）信号と色（Ｃ）信号とに変換し、ビデオ出力端子に出力する。
ＤＡコンバータ（Digital to Analog Converter；以下、ＤＡＣという。）１７は、ＡＶデコーダ１９から出力されたデジタルオーディオ信号をアナログオーディオ信号に変換し、オーディオ出力端子に出力する。
ＤＩＴ（Digital audio Interface Transfer）１８は、ＡＶデコーダ１９から出力されたデジタルオーディオ信号をＳ／ＰＤＩＦ（Sony Philips Digital Interface）形式のデジタルオーディオ信号に変換し、Ｓ／ＰＤＩＦ出力端末に出力する。
なお、ビデオ出力端子及びオーディオ出力端子は、テレビジョン等の画像表示装置に接続されており、輝度（Ｙ）信号と色（Ｃ）信号とに基づいて画像表示装置の表示部Ｍ（図６等参照）に例えば再生される主画像やＯＳＤ等が表示され、アナログオーディオ信号に基づいて画像表示装置のスピーカ（図示略）から各種音声が出力される。ここで、画像表示装置の表示部Ｍには、再生される主画像を表示するための画像表示領域Ｍ１が設けられている。
【００２４】
主制御部２は、主に画像及び音声のデータ処理部１の制御を行う。
すなわち、主制御部２は、光ディスクＤ１にデータを記憶する場合に、ＡＶエンコーダ１５がデジタルオーディオ信号やＲＧＢビデオ信号に対してエンコード処理を行って画像データや音声データを生成するようにＡＶエンコーダ１５を制御するとともに、ＡＴＡＰＩコントローラ２０がＡＶエンコーダ１５から各種データをディスクドライブ２１１に転送するようにＡＴＡＰＩコントローラ２０を制御する。
また、主制御部２は、再生手段として機能し、光ディスクＤ１からデータを再生する場合に、ＡＴＡＰＩコントローラ２０がディスクドライブ２１１から光ディスクＤ１に記憶されている画像及び音声データを読み出してＡＶデコーダ１９に転送（出力）するようにＡＴＡＰＩコントローラ２０を制御するとともに、ＡＶデコーダ１９が各種データに対してデコード処理を行ってＲＧＢビデオ信号やデジタルオーディオ信号とを生成するようにＡＶデコーダ１９を制御する。
【００２５】
また、主制御部２は、後述する記憶媒体編集処理において、画像データの選択と、選択された画像データへのタイトル名の入力もしくは選択された画像データを消去するか否かの選択を行う際に、表示部Ｍに表示される編集画面（例えば、画像の編集メニュ等；後述）のデータを生成する編集画面生成手段として機能する。
なお、編集画面は、例えば主制御部２のＯＳＤ機能を用いることにより表示される。具体的には、主制御部２は、例えば画像の編集メニュ等の編集画面（ＯＳＤ）の表示指示信号を例えば副制御部５を介して受信した場合に、前記表示指示信号に基づいてＯＳＤデータをフラッシュメモリ３から読み出し、ＯＳＤデータを解析してＯＳＤの各種情報を取得する。
従って、主制御部２は、例えば、入力されるタイトル名に対応する再生される画像に任意のタイトル名を入力したり編集したりするための入力画面Ｇ２がオンスクリーン表示されることで再生画像と入力画面Ｇ２とを表示部Ｍにて重ねて（同時に）表示させる画像信号を出力し、また、例えば消去される画像データに基づく再生画像にその再生画像に対応する画像データを消去するための画像消去画面Ｇ３がオンスクリーン表示されることで再生画像と画像消去画面Ｇ３とを表示部Ｍにて重ねて（同時に）表示させる画像信号を出力する。
なお、ＯＳＤデータには、ＯＳＤの表示位置やサイズや色に関する情報も含まれている。
【００２６】
また、主制御部２は、例えば入力されたタイトル名等のＯＳＤの記憶指示信号を例えば副制御部５を介して受信した場合には、そのタイトル名をデータ化してそのデータを対応する画像データに関連付けてフロントエンドブロック２１にて光ディスクＤ１に書き込む。
【００２７】
フラッシュメモリ３は、例えばその情報量が３２Ｍｂｉｔであり、例えば、画像の編集メニュ、タイトル名の編集或いは画像の消去の選択画面Ｇ１、入力画面Ｇ２、画像消去画面Ｇ３、画像消去の確認画面Ｇ４等の編集画面を表示するＯＳＤ機能において使用されるフォントデータ又は圧縮データ等のＯＳＤデータを格納している。
ＥＥＰＲＯＭ（Electrically Erasable and Programmable Rom）４は、例えばその情報量が１６Ｋｂｉｔであり、例えば各種設定データを保存している。
【００２８】
副制御部５は、主制御部２の制御に基づき、チューナ１１による信号選択やタイマーによる録画再生機能、並びに、操作キー６及び表示部８を備える操作パネル（図示省略）からの操作信号の入力及び操作パネルへの表示信号の出力等を制御する。
操作キー６は、操作パネル上に設けられ、ユーザにより操作可能な各種キー（図示略）を備えており、ユーザにより当該キーの中のいずれかのキーが操作されると、操作されたキーに対応する操作信号を発信する。また、操作キー６は、記憶媒体編集処理において、光ディスクＤ１に記憶されている（書き込まれた）各画像データのうちの任意の画像データを選択させ、選択された画像データに対応するタイトル名の入力、もしくは、選択された画像データを消去するか否かの選択を行わせる編集手段を構成している。
受光部（ＩＲ）７は、ユーザにより例えば操作キー６と略同等の機能を有するリモコン（図示略）が操作されることにより発信される操作信号を受信して、副制御部５に出力する。
表示部（ＦＬＤ）８は、操作パネル上に設けられ、副制御部５が操作信号に応じて出力した表示信号を受信すると、受信された表示信号に基づいて動作内容等を表示する。
【００２９】
次に、ＤＶＤビデオレコーダ１００により実行される記憶媒体編集処理について、図面を適宜参照して説明する。
【００３０】
＜記憶媒体編集処理＞
先ず、ＤＶＤビデオレコーダ１００の電源が入れられ、ディスクドライブ２１１に光ディスクＤ１がセットされると、ＤＶＤビデオレコーダ１００は、フラッシュメモリ３に記憶され各光ディスクＤ１に対応する例えばメインメニュを表示部Ｍに表示する。
そして、このメインメニュにて画像の編集メニュが操作キー６の操作により選択されると、主制御部２は、記憶媒体編集処理を実行して、ＯＳＤの表示を指示することでタイトル名の編集もしくは画像に対応する画像データを消去するか否かを選択可能な選択画面Ｇ１を表示部Ｍに表示して、操作キー６による選択を受け付ける。この選択画面Ｇ１は、具体的には、例えば表示部Ｍの下端部に表示されており、タイトル名の編集を指示する「ＮＡＭＥ」の表示と、タイトルの消去を指示する「ＤＥＬＥＴＥ」の表示と、以前の画面（例えば、メインメニュ等）に戻るための「ＲＥＴＵＲＮ」の表示とが上から順に表示された画面である（図５等参照）。
ここで、主制御部２は、操作キー６の操作により「ＮＡＭＥ」が選択されることでタイトル名の編集が選択された場合には（ステップＳ１；図４参照）、タイトル名編集処理を実行し、操作キー６の操作により「ＤＥＬＥＴＥ」が選択されることで画像データの消去が選択された場合には（ステップＳ１１；図６参照）、画像消去処理を実行する。
【００３１】
＜タイトル名編集処理＞
以下、タイトル名編集処理について図２及び図４及び図５を参照して説明する。
ここで、図２及び図４は、ＤＶＤビデオレコーダ１００によるタイトル名編集処理に係る動作の一例を示すフローチャートであり、図５（ａ）は、タイトル名を編集すべき画像が選択された後に表示部Ｍに表示される表示例を示す図であり、図５（ｂ）は、表示部Ｍに表示された入力画面Ｇ２の一例を示す図である。
【００３２】
先ず、主制御部２は、タイトル名編集処理を実行すると、ディスクドライブ２１１を制御して光ディスクＤ１に記憶されている画像データの一覧を表示部Ｍに表示する（ステップＳ２）。具体的には、例えば各画像の記憶時に記録された記録データ（例えば、「２．１０／ＯＣＴ １２ ＡＭ１２：００ ２Ｈ」等のテキスト；図５（ａ）参照）が各画像に対応する画像データ毎に表示される。
なお、既にタイトル名が入力（編集）されている画像は、記録データとともに入力されたタイトル名が表示部Ｍに表示されるようになっている。
【００３３】
そして、例えば操作キー６の操作によって、タイトル名を編集すべき所望の画像データがその対応する記録データの選択により選択されると（ステップＳ３；図５（ａ）参照）、主制御部２は、ディスクドライブ２１１を制御して、光ディスクＤ１から選択された記録データに対応する画像データを読み出し再生して表示部Ｍの画像表示領域Ｍ１に画像を表示するとともに（ステップＳ４）、前記画像の手前側に入力画面Ｇ２を重ねて表示する。具体的には、例えば図５（ｂ）に示すように、再生される画像の手前側において、表示部Ｍの上端部に選択された記録データ「２．１０／ＯＣＴ １２ ＡＭ１２：００ ２Ｈ」が表示されるとともに、表示部Ｍの略中央部から下端部に亘って入力画面Ｇ２が表示される。
なお、入力画面Ｇ２には、英字、数字、文字、矢印、スペース、デリート等に対応する各種キーからなるキーボードが表示されるとともに、下端部に「ＲＥＴＵＲＮ」が表示される。
また、選択された画像は、後述するタイトル名の入力（編集）が開始されるまでリピート再生される。なお、画像の再生は、例えば図２に示すように、主制御部２が、フロントエンドブロック２１、ＡＴＡＰＩコントローラ２０、ＡＶデコーダ１９、ＮＴＳＣ／ＰＡＬビデオエンコーダ１６等を順に制御することにより行われる。
【００３４】
次に、操作キー６の操作により所望のタイトル名の入力が開始されると（ステップＳ５）、主制御部２は、再生中の画像を一時停止して画像表示領域Ｍ１に静止画像を表示した状態とする（ステップＳ６）。
すなわち、例えばタイトル名が編集される画像がＴＶ番組等である場合、画像を再生してもしばらくは例えば番組名等の標題が示された画面（以下、タイトル画面という。）が表示されないことがあるが、例えばタイトル画面が表示されユーザにより再生中の画像が如何なる内容のものであるのかが認識されてタイトル名の入力が開始されると、タイトル画面が静止画像として表示された状態となる。これにより、ユーザは、タイトル画面を見ながら（編集すべき画像データの内容を確認しながら）タイトル名の入力（編集）を行うことができ、タイトル名の入力をミスすることなく容易に行うことができる。
なお、タイトル名の入力は、具体的には操作キー６の操作により入力画面Ｇ２にて所望のキーが選択されることによって行われる。また、入力されるタイトル名は、例えば表示部Ｍに表示されている記録データに続けて表示されるようになっているが、図５では図示を省略している。
【００３５】
その後、タイトル名を構成する全てのキーが入力されて、例えば操作キー６の操作により「ＲＥＴＵＲＮ」が選択されることでタイトル名が確定されると（ステップＳ７）、主制御部２は、確定されたタイトル名（ＯＳＤ）の記憶を指示することでそのタイトル名のデータを対応する画像の画像データに関連付けて光ディスクＤ１に記憶して（ステップＳ８）、タイトル名編集処理を終了する。
なお、タイトル名の記憶は、例えば図２に示すように、主制御部２が、ＳＷ１を制御する（例えば、図１におけるｂ接点に接続する）ことでＡＶデコーダ１９とＡＶエンコーダ１５とを電気的な接続状態とするとともに、ＡＶデコーダ１９、ＡＶエンコーダ１５、ＡＴＡＰＩコントローラ２０、フロントエンドブロック２１等を順に制御することにより行われる。
【００３６】
＜画像消去処理＞
以下、画像消去処理について図３及び図６及び図７を参照して説明する。
ここで、図３及び図６は、ＤＶＤビデオレコーダ１００による画像消去処理に係る動作の一例を示すフローチャートであり、図７（ａ）は、消去すべき画像データが選択された後に表示部Ｍに表示される表示例を示す図であり、図７（ｂ）は、表示部Ｍに表示された画像消去画面Ｇ３の一例を示す図であり、図７（ｃ）は、表示部Ｍに表示された画像消去の確認画面Ｇ４の一例を示す図である。
【００３７】
先ず、主制御部２は、画像消去処理を実行すると、ディスクドライブ２１１を制御して光ディスクＤ１に記憶されている画像データの一覧を表示部Ｍに表示する（ステップＳ１２）。具体的には、タイトル名編集処理と同様に、例えば各画像データに対応する記録データが画像データ毎に表示され、また、既にタイトル名が入力されている画像は、記録データとともに入力されたタイトル名が表示部Ｍに表示される。
【００３８】
そして、例えば操作キー６の操作によって、消去すべき所望の画像データがその対応する記録データの選択により選択されると（ステップＳ１３）、主制御部２は、ディスクドライブ２１１を制御して、光ディスクＤ１から選択された記録データに対応する画像データを読み出し再生して表示部Ｍの画像表示領域Ｍ１に画像を表示するとともに（ステップＳ１４）、前記画像の手前側に画像消去画面Ｇ３を重ねて表示する。具体的には、再生される画像の手前側において、表示部Ｍの上端部に選択された記録データ「２．１０／ＯＣＴ １２ ＡＭ１２：００ ２Ｈ」が表示されるとともに、表示部Ｍの下端部に画像消去画面Ｇ３が表示される（図７（ｂ）参照）。
なお、画像消去画面Ｇ３は、例えば、「ＤＥＬＥＴＥ」の右側に「ＮＯ」の表示と、「ＮＯ」の上側にて「ＮＡＭＥ」の右側に「ＹＥＳ」の表示とが表示された画面である。さらに、「ＤＥＬＥＴＥ」、「ＮＯ」、「ＹＥＳ」が表示されている部分の背景色は、「ＮＡＭＥ」及び「ＲＥＴＵＲＮ」が表示されている部分の背景色と異ならせることで、選択される部分がユーザにとって認識され易いようになっている。
また、選択された画像は、後述する画像データの消去が決定されるまでリピート再生される。なお、画像の再生は、タイトル名編集処理と同様に、主制御部２が、フロントエンドブロック２１、ＡＴＡＰＩコントローラ２０、ＡＶデコーダ１９、ＮＴＳＣ／ＰＡＬビデオエンコーダ１６等を順に制御することにより行われる（図３参照）。
【００３９】
次に、操作キー６の操作により「ＹＥＳ」が選択されることで画像データの消去が決定されると（ステップＳ１５）、主制御部２は、再生中の画像の画像表示領域Ｍ１上での表示を黒く塗りつぶしたような表示（以下、黒表示という。）としてユーザの注意を引きつけるとともに、画像消去の確認画面Ｇ４を表示部Ｍに表示する（ステップＳ１６）。具体的には、例えば図７（ｃ）に示すように、黒表示された画像の手前側において、表示部Ｍの上端部に選択された記録データ「２．１０／ＯＣＴ １２ ＡＭ１２：００ ２Ｈ」が表示されるとともに、表示部Ｍの下端部に画像消去の確認画面Ｇ４が表示される。
なお、画像消去の確認画面Ｇ４は、例えば、「ＮＡＭＥ」の右側に消去の確認を促す「ＲＥＡＬＬＹ？」の表示と、「ＤＥＬＥＴＥ」の右側に「ＹＥＳ」と、「ＲＥＴＵＲＮ」の右側に「ＮＯ」とが表示されている。さらに、「ＤＥＬＥＴＥ」、「ＲＥＡＬＬＹ？」、「ＮＯ」、「ＹＥＳ」が表示されている部分の背景色は、「ＮＡＭＥ」及び「ＲＥＴＵＲＮ」が表示されている部分の背景色と異ならせることで、選択される部分がユーザにとって認識され易いようになっている。
【００４０】
その後、例えば操作キー６の操作により「ＹＥＳ」が選択されることで画像データの消去が確定されると（ステップＳ１７）、主制御部２は、再生中の画像の記憶を無効とするデータを光ディスクＤ１に書き込むことでその画像データを消去して（ステップＳ１８）、画像消去処理を終了する。
なお、画像データの消去は、例えば図３に示すように、主制御部２が、ＡＴＡＰＩコントローラ２０、フロントエンドブロック２１等を順に制御することにより行われる。
【００４１】
以上のように、本実施の形態のＤＶＤビデオレコーダ１００によれば、入力画面Ｇ２と編集されるタイトル名に対応する画像とが表示部Ｍに重ねて表示され、画像を参照しながらタイトル名の入力を行うことができ、タイトル名の入力ミスを防止できる。従って、光ディスクＤ１に記憶されている画像（記憶内容）の編集を容易に且つ正確に行うことができる。
また、入力されたタイトル名のデータは対応する画像データと関連づけて画像データが記憶された光ディスクＤ１に記憶されることになり、光ディスクＤ１が別のＤＶＤプレイヤ等で再生された場合でも入力され記憶されたタイトル名を参照することで光ディスクＤ１に記憶されている画像を容易に認識することができる。
さらに、光ディスクＤ１に記憶されている画像の編集を、特別な装置等を必要とせずに無駄なコストをかけずに行うことができる。
【００４２】
また、画像に対応する画像データを消去するための画像消去画面Ｇ３と消去すべき画像データに対応する画像とを表示部Ｍに重ねて表示するので、不必要な画像データの消去を消去される画像データの画像を参照しながら行うことができ、画像データの消去ミスを防止できる。
【００４３】
さらに、表示部Ｍに編集画面（例えば、入力画面Ｇ２等）を表示し、編集画面（例えば、入力画面Ｇ２等）に基づいて光ディスクＤ１に記憶された画像データから編集すべき画像データを選択させ、選択された画像データの画像を編集画面（例えば、入力画面Ｇ２等）と同時に表示部Ｍに表示するので、編集すべき画像データの内容を確認しながら光ディスクＤ１に記憶されている画像データの編集を行うことができ、画像データの編集画面（例えば、入力画面Ｇ２等）での操作ミスを防止できる。従って、光ディスクＤ１に記憶されている記憶内容の編集を容易に且つ正確に行うことができる。
【００４４】
なお、上記実施の形態では、記憶媒体としてＤＶＤ＋ＲＷ等の光ディスクＤ１を例示したが、これに限られるものではなく、入力された標題のデータが対応する画像データと関連づけて記憶され、選択された画像データが消去されることが可能であれば如何なるものであっても良く、例えばＭＯ（Magneto Optical disk）等の光磁気ディスクやビデオテープ等の磁気テープであっても良いが、好ましくは選択された画像データが即座に再生されたり消去されたりする記憶媒体であることが望ましい。そのため、録画再生装置は、ＤＶＤビデオレコーダ１００に限られるものではなく、例えばハードディスクを内蔵したテレビやビデオ等であっても良い。
また、タイトル名を入力するための入力画面Ｇ２と入力されるタイトル名に対応する画像データの画像とを同時に表示する方法として、表示部Ｍに入力画面Ｇ２とそのタイトル名に対応する画像の再生画像とを重ねて表示するようにしたが、これに限られるものではなく、例えば表示部Ｍの表示領域を２分割して一方に入力画面Ｇ２を表示し他方に対応する画像データの画像を表示するようにしても良い。さらに、画像データを消去するための画像消去画面Ｇ３と消去すべき画像データの画像とを同時に表示する方法も、上記と同様に同時に表示可能であれば如何なる方法であっても良い。
加えて、画像データの消去が決定されるまでその画像データに対応する画像をリピート再生するようにしたが、これに限られるものではなく、例えば画像データの消去が決定され画像消去の確認画面Ｇ４が表示された段階で、タイトル名入力処理と同様に再生中の画像を一時停止して表示部Ｍに静止画像を表示した状態とするようにしても良い。
また、入力画面Ｇ２に表示されるキーは、例えばひらがなやカタカナ等如何なるキーであっても良い。さらに、主制御部２に漢字変換辞書機能を設け、入力されたキーを漢字等に変換して漢字を用いたタイトル名を入力するようにしても良い。
【００４５】
【発明の効果】
本発明の録画再生装置によれば、編集画面と入力される標題に対応する画像とがディスプレイに同時に表示され、標題が入力される画像を参照しながら標題の入力を行うことができ、さらに、標題の入力が開始されると、再生中の画像を一時停止させて、標題の入力ミスを防止できる。従って、記憶媒体に記憶されている記憶内容の編集を容易に且つ正確に行うことができる。
また、入力された標題のデータは対応する画像データと関連づけて画像データが記憶された記憶媒体に記憶されることになり、前記記憶媒体が別の録画再生装置等で再生された場合でも入力され記憶された標題を参照することで記憶媒体に記憶されている画像を容易に認識することができる。
さらに、記憶媒体に記憶されている記憶内容の編集を、特別な装置等を必要とせずに無駄なコストをかけずに行うことができる。
また、編集画面と消去すべき画像データに対応する画像とがディスプレイに同時に表示され、画像データの消去を消去される画像データの画像を参照しながら行うことができ、さらに、消去すべき画像データが選択されると、再生中の画像を黒表示として、画像データの消去ミスを防止できる。
【００４６】
本発明の編集方法によれば、編集すべき画像データの内容を確認しながら記憶媒体に記憶されている画像データの編集を行うことができ、さらに、標題の入力が開始されると、ディスプレイに表示される再生中の画像を一時停止させて、画像データの編集画面での操作ミスを防止できる。従って、記憶媒体に記憶されている記憶内容の編集を容易に且つ正確に行うことができる。
【図面の簡単な説明】
【図１】本発明が適用された実施の形態のＤＶＤビデオレコーダの全体構成の概略を示すブロック図である。
【図２】図１のＤＶＤビデオレコーダによるタイトル名編集処理に係る動作の一例を示すフローチャートである。
【図３】図１のＤＶＤビデオレコーダによる画像消去処理に係る動作の一例を示すフローチャートである。
【図４】図１のＤＶＤビデオレコーダによるタイトル名編集処理に係る動作の一例を示すフローチャートである。
【図５】図１のＤＶＤビデオレコーダによるタイトル名編集処理において表示される具体的な表示例を示す図である。
【図６】図１のＤＶＤビデオレコーダによる画像消去処理に係る動作の一例を示すフローチャートである。
【図７】図１のＤＶＤビデオレコーダによる画像消去処理において表示される具体的な表示例を示す図である。
【符号の説明】
１００      ＤＶＤビデオレコーダ（録画再生装置）
２          主制御部（再生手段、編集画面生成手段）
６          操作キー（編集手段）
２１１      ディスクドライブ（録画手段、標題書込手段、消去手段）
Ｄ１        光ディスク（記憶媒体）
Ｇ１        選択画面（編集画面）
Ｇ２        入力画面（編集画面）
Ｇ３        画像消去画面（編集画面）
Ｇ４        画像消去の確認画面（編集画面）
Ｍ          表示部（ディスプレイ）
【図１】
0003997320.tif 000002
【図２】
0003997320.tif 000003
【図３】
0003997320.tif 000004
【図４】
0003997320.tif 000005
【図５】
0003997320.tif 000006
【図６】
0003997320.tif 000007
【図７】
0003997320.tif 000008